(57)【要約】【課題】ジョイスティック型ポテンショメーターを提供する。【解決手段】本考案のジョイスティック型ポテンショメーターは、ハウジング１、シフトコントローラー２、復元装置４、スイッチ装置３、からなる。シフトコントローラー２は、ハウジング１の中空内に縦向きベース２０と、コントロールスティック２１と、横向きベース２２と、を有する。復元装置４は、弾性部材４０及び弾性ベース４１からなる。スイッチ装置３は、スイッチベース３０接触スイッチ端子３１、リング状接蝕片３２及び可動接片３３からなる。ハウジング１の側板上の可変抵抗センサ５，６は、ベース、縦型動ベース、及び、接触滑動片からなる。上述のような構成により、ジョイスティック型ポテンショメーターの体積を縮小し、薄型化を達成すると同時に、高感度の感測効能を有する。【選択図】図２
0003107198.tif 000002
【実用新案登録請求の範囲】
【請求項１】
ジョイスティック型ポテンショメーターであって、ハウジング、シフトコントローラー、復元装置、スイッチ装置及び可変抵抗器からなり、
前記シフトコントローラーは、前記ハウジングに架設され、縦長孔を設けている縦向きベースと、前記縦向きベースの下方、直交で配置され、スロットを有する横向きベースと、縦長孔に挿入され、一端が横向きベースに枢支されたコントロールスティックとから構成され、
前記スイッチ装置は、スイッチベース、接触スイッチ端子、リング状接蝕片及び可動接片からなり、
前記スイッチベース底部表面は、環形凸台を有し、その中に、前記スイッチベースから伸出した接触スイッチ端子を有し、前記スイッチベースの環形凸台は、接触片を露出し、施圧片を有する前記可動接片は、前記リング状接蝕片を前記環形凸台に挟持し、
前記復元装置は、弾性部材及び弾性ベースからなり、前記弾性ベースは、前記縦向きベースと前記横向きベースの交差底部に配置され、前記弾性部材の上端は前記弾性ベースの下表面に嵌置され、下端は前記スイッチベースの環形凸台外側に嵌設されることを特徴とするジョイスティック型ポテンショメーター。
【請求項２】
前記可変抵抗センサは、ベース、縦型動ベース及び接触滑動片からなり、前記ベース内側に槽穴を設け、前記槽穴の内部に、嵌入成形等の方式で一体成形された、プリントトラックを有するプリント炭素皮膜抵抗器を配置し、前記ベースの下端は、三挿脚の端子がベースから外に伸出していることを特徴とする請求項１に記載のジョイスティック型ポテンショメーター。
【請求項３】
前記コントロールスティックは、一端に円柱状のホールを有し、前記縦向きベースの縦長孔を貫通し、且つ、前記ホールの枢支端は、前記横向きベースのスロット内に配置され、ボルト或いはビスにより、前記横向きベースの軸孔内に固定されることを特徴とする請求項１に記載のジョイスティック型ポテンショメーター。
【請求項４】
前記弾性ベースは、下面に、弾性部材を収める環座を有し、前記弾性部材の上端は前記弾性ベースの環座の外側に嵌置されることを特徴とする請求項１に記載のジョイスティック型ポテンショメーター。
【考案の詳細な説明】
【技術分野】
【０００１】
本考案は、ジョイスティック型ポテンショメーターに関するものであって、特に、複数の電気部品により操作するジョイスティック型ポテンショメーターで、主に、パーソナルデジタル製品、例えば、ＰＤＡ、携帯電話、ノート型パソコン等のナビゲータ、デコードの変更に応用されるジョイスティック型ポテンショメーターに関するものである。
【背景技術】
【０００２】
現在使用に供されているジョイスティック型ポテンショメーターは、その周囲が側板により覆われ、下方に開口部を呈する箱型ハウジング内に、縦方向のスロットを有し、弓形で、回転可能な縦向きベースと、縦向きベースの縦方向に交差するように配置され、スロットを有し、且つ、回転可能な横向きベースとからなる。
横向きベースは中央部位に、外形が長方形の支承部を有し、支承部の周囲は、側壁で包囲され、側壁が包囲する内側位置に、長方形のスロットを有する。
コントロールスティックは、縦向きベースのスロットと横向きベースのスロットを貫通し、コントロールスティックの下端は、コントロールスティックの軸心方向に移動する操作体を有し、操作体は下方に、円形で、底部が皿状のベースを形成し、ベースの中央部に、ハウジング内側方向に突出した筒型を呈するハブを有し、ハブの中央に軸孔を有する。  
コントロールスティックの下端は、操作体のハブの中央軸孔内に挿入され、復元用の弾性部材は、操作体のハブとコントロールスティック間に配置され、操作体下部には、復元用の弾性部材の弾性により操作体に連接されたハウジング下部の底板を配置し、側壁にはボタンスイッチ等により構成される電気機器を装着する部品装着部を形成し、可変抵抗器等の電気部材は、ハウジングの二つの相隣する側板に装着される。
【０００３】
しかし、前述のようなジョイスティック型ポテンショメーターは、復元用の弾性部材が操作体とコントロールスティック間に配置され、且つ、復元用弾性部材の上部がコントロールスティック下部の収容部に収められ、下部は操作体のハブ間に配置されるので、コントロールスティックから底板の距離が長くなり、ジョイスティック型ポテンショメーターは高度方向の寸法が大きくて、薄型化が実現できないという問題が存在する。
【０００４】
また、ボタンスイッチなどで構成される電気機器をハウジングの外側に装着するため、ジョイスティック型ポテンショメーターは体積が大きい。故に、従来公知のジョイスティック型ポテンショメーターの欠点を改善する必要がある。
【考案の開示】
【考案が解決しようとする課題】
【０００５】
本考案は、ハウジング、シフトコントローラー、復元装置、スイッチ装置、及び、可変抵抗器、からなるジョイスティック型ポテンショメーターを提供することを目的とする。
【課題を解決するための手段】
【０００６】
本考案のジョイスティック型ポテンショメーターにおいて、シフトコントローラーは、ハウジングに架設され、縦長孔を設けている縦向きベースと、縦向きベースの下方、直交で配置され、スロットを有する横向きベースと、縦長孔に挿入され、一端が横向きベースに枢支されたコントロールスティックと、から構成される。
スイッチ装置は、スイッチベース、接触スイッチ端子、リング状接蝕片及び可動接片からなる。
スイッチベース底部表面は、環形凸台を有し、その中に、スイッチベースから伸出した接触スイッチ端子を有する。スイッチベースの環形凸台は、接触片を露出し、施圧片を有する可動接片は、リング状接蝕片を環形凸台に挟持する。
復元装置は、弾性部材、及び、弾性ベースからなり、弾性ベースは、縦向きベースと横向きベースの交差底部に配置され、弾性部材の上端は弾性ベースの下表面に嵌置され、下端はスイッチベースの環形凸台外側に嵌設される。
【０００７】
本考案のジョイスティック型ポテンショメーターにおいて、可変抵抗センサは、ベース、縦型動ベース、及び、接触滑動片からなる。ベース内側に、槽穴を設け、槽穴の内部に、嵌入成形等の方式で一体成形された、プリントトラックを有するプリント炭素皮膜抵抗器を配置し、三挿脚の端子はベースから外に伸出している。
【０００８】
本考案のジョイスティック型ポテンショメーターにおいて、コントロールスティックは、一端に円柱状のホールを有し、縦向きベースの縦長孔を貫通し、且つ、ホールの枢支端は、横向きベースのスロット内に配置され、ボルト、或いは、ビスにより、横向きベースの軸孔内に固定される。
【０００９】
本考案のジョイスティック型ポテンショメーターにおいて、弾性ベースは、下面に、弾性部材を収める環座を有する。弾性部材の上端は弾性ベースの環座の外側に嵌置される。
【００１０】
上述のような構成により、本考案は、復元用弾性部材上端が、縦向きベースと横向きベースの交差部の弾性ベース下表面に配置され、弾性部材の下端は、直接、スイッチベースの環形凸台外側に置設される。これにより、公知のジョイスティック型ポテンショメーターの高度方向の寸法が大きく、薄型化が困難である問題を解決し、同時に、スイッチ装置等の電気機器がハウジング内部に装着され、その体積を縮小することが出来る。
【考案の効果】
【００１１】
従来公知のジョイスティック型ポテンショメーターの高度方向の寸法が大きくて薄型化が困難である、という問題を解決し、同時に、スイッチ装置等の電気機器がハウジング内部に装着され、その体積を縮小することが出来る。
【考案を実施するための最良の形態】
【００１２】
以下、添付図面を参照して考案の好適な実施例を詳細に説明する。
図１〜図３はこの考案のジョイスティック型ポテンショメーターの実施例を示し、図１は全体斜視図、図２は図１の縦断面図、図３は図１の分解斜視図である。
【実施例】
【００１３】
図１に示すように、本考案のジョイスティック型ポテンショメーターは、鉄板を打ち抜き加工などの方式により形成したハウジング１を有し、ハウジング１は側板１０，１１，１２，１３からなり、内部は下方に開口した中空の直方体を呈している。
【００１４】
前記ハウジング１上部の上板１４中央に、操作穴１４０を設け、側板１０，１１，１２，１３面に、それぞれ開口側から切り込んで形成した、下向けの凹部１０１，１１１，１２１，１３１を有し、側板１１，１３面に可変抵抗センサを装着する複数の開孔部１１２，１３２を有し、互いに相対して配置された側板１２，１３の両側下部に、それぞれ、下方向に延伸した複数の装着端子を有する。
【００１５】
ハウジング１の中空内に、縦向きベース２０、コントロールスティック２１、横向きベース２２からなるシフトコントローラー２を設置する。縦向きベース２０は打ち抜き加工等により上側に湾曲したアーチ状をなし、且つ、アーチ状の縦方向に、縦長孔２０１を設けている。また、縦向きベース２０の両側端は、外向けに延伸した凸柱２０２，２０３を設置し、前記ハウジング１側板１０，１１の凹部１０１，１１１内に収容される。
【００１６】
更に、横向きベース２２は、縦向きベース２０の下方に位置し、且つ、縦向きベース２０と直交して配置される。横向きベース２２の座体中央部にはスロット２２０が有り、該スロット２２０にはコントロールスティック２１の枢支端が配設される。スロット２２０の両側に位置する壁にはスロット２２０を貫通する軸孔２２１が形成されており、この軸孔に、ボルトやビス２３を、コントロールスティック２１を貫通するようにして止める。横向きベース２２の長端部にはそれぞれ、外方に延伸した凸部２２２，２２３が配置され、ハウジング１の側板１２，１３の凹部１２１，１３１に収容される。
また、コントロールスティック２１は一端に円柱状のホール２１０を有しており、他端が縦向きベース２０の縦長孔２０１に挿置される。コントロールスティック２１の円柱状ホール２１０の枢支端が横向きベース２２のスロット２２０内に配置され、ボルト或いはビス２３により、横向きベース２２の軸孔２２１内に固定される。
上述のような構成のシフトコントローラー２により、コントロールスティック２１は、縦向きベース２０の凸柱２０２、２０３と横向きベース２２の凸部２２２，２２３を支点として回転する。
【００１７】
また、スイッチ装置３は、スイッチベース３０、接触スイッチ端子３１、リング状接蝕片３２、及び可動接片３３からなる。
スイッチベース３０は、内部が凹んだ凹円槽３０１を有し、その部分の側壁中間には突出した頂柱３０２が形成され、シフトコントローラー２の縦向きベース２０の凸柱２０２及び横向きベース２２の凸部２２２を支持するのに用いられる。凹円槽内底部表面には、環形凸台３０３が形成され、その中に、一端部がスイッチベース３０の外に引き出された、ＳＭＤ（貼片式）溶接ピン３１２の接触スイッチ端子３１が配置される。
スイッチベース３０の環形凸台３０３は、接触片３１０，３１１を露出し、施圧片３３０を有する可動接片３３で、リング状接蝕片３２を環形凸台３０３に挟持する。
【００１８】
更に、復元装置４は、コイルスプリングからなる弾性部材４０及び弾性ベース４１からなり、本実施例において、弾性ベース４１下面に、弾性部材４０を保持する突出した環座４１０を有する。弾性ベース４１は、縦向きベース２０と横向きベース２２の交差底部に配置され、弾性部材４０の上端は弾性ベース４１の環座４１０の外側に嵌置され、下端はスイッチベース３０の環形凸台３０３外側に嵌設される。
【００１９】
本考案によるハウジング１内に、順に、シフトコントローラー２、復元装置４、スイッチ装置３を装着した後、側板１２，１３両側下部にそれぞれ形成された下方に延伸する複数の装着端子を湾曲させれば、スイッチ装置３のスイッチベース３０をハウジング１内に固定することができる。
【００２０】
図１を参照すると、ハウジング１の側板１１，１３面に、可変抵抗センサ５、６を設置される。この可変抵抗センサ５、６はベース５０，６０、縦型動ベース５１，６１及び接触滑動片５２，６２を備えている。
【００２１】
前記ベース５０，６０内側には、槽穴５０１，６０１を設け、槽穴５０１，６０１の内部に、嵌入成形等の方式で一体成形された、プリントトラックを有するプリント炭素皮膜抵抗器５０２，６０２を配置し、三挿脚の端子５０３，６０３はベース５０，６０から外に伸出して、ジョイスティック型ポテンショメーターを回路基板上に取り付ける。ベース５０，６０の両側に、ハウジング１と係合するような逆フック状を呈した弾性フック５０４，６０４を設け、ベース５０，６０の槽穴５０１，６０１外側側壁の中心位置に、円孔５０５，６０５を形成する。縦型動ベース５１，６１は、ベース５０，６０の槽穴５０１，６０１の外縁に近いところに、複数の凸柱５１１，６１１を有し、中央位置に、凹沈孔５１２，６１２を有して、縦向きベース２０の凸柱２０２と横向きベース２２の凸部２２２の円柱状の階段型支軸５１３，６１３は、ベース５０，６０の円孔５０５，６０５を貫通する。
また、接触滑動片５２，６２はＣ字型を呈し、縦型動ベース５１，６１上の凸柱５１１，６１１に対応するホール５２０，６２０を備える。
【００２２】
組み立て時、接触滑動片５２，６２のホール５２０，６２０は、縦型動ベース５１，６１の凸柱５１１，６１１に装入され、縦型動ベース５１，６１上に固定される。縦型動ベース５１，６１上の凹沈孔５１２，６１２内には、縦向きベース２０の凸柱２０２と横向きベース２２の凸部２２２を装入し、円柱状の階段型支軸５１３，６１３は、ベース５０，６０外側壁上の円孔５０５，６０５内に挿入され、更に、ベース５０，６０の弾性フック５０４，６０４を、ハウジング１の側板１１，１３上の開孔部１１２，１３２内に固定する。
【００２３】
本考案においては、コントロールスティック２１への外力作用がない時、即ち、負荷がない状態の時、コントロールスティック２１は復元装置４の弾性部材４０の弾力を受けて垂直状態になる。コントロールスティック２１はハウジング１の上板１４中央の操作孔１４０内にシフトした時、縦向きベース２０、或いは、横向きベース２２はコントロールスティック２１の移動下で、凸柱２０２、２０３、或いは、凸部２２２，２２３を支点として回転し、可変抵抗センサ５、６の縦型動ベース５１，６１が接触滑動片５２，６２を移動して、プリント炭素皮膜抵抗器５０２，６０２上において、中心線に沿って環形シフトし、プリント炭素皮膜抵抗器５０２，６０２の抵抗値を変化させ、三挿脚の端子５０３，６０３の第一，第三端子が電圧を入力すると、第一，第二，第三端子は変化した電圧を出力する。
【００２４】
垂直状態のコントロールスティック２１は、下方向に施圧されるとき、横向きベース２２の凸部２２２，２２３が支点となって下方向に動き、横向きベース２２の下部が復元装置４により、可動接片３３の施圧片３３０で、施圧片３３０を下向きに作動させて、リング状接蝕片３２を圧迫し、接触スイッチ端子３１と連接することにより、スイッチ装置３に対し、スイッチの操作を実施させる。
【００２５】
本考案は、以下のような長所がある。
１．微小型、超薄型の外観設計：  長さ×幅×高さは、約８×８×６センチである。
２．独特のＺ軸のスイッチ装置：  接触スイッチ端子３１をスイッチベース３０中に形成
し、ＳＭＤ（貼片式）溶接ピン３１２を外に引き出し、リング状接蝕片３２を装入す    ると共に、施圧片３３０を有する可動接片３３により封閉する。
３．独特の高感度の観測装置  ：  本考案の三日月形の縦型動ベース５１，６１、Ｃ字型    接触滑動片５２，６２、プリントトラックを有するプリント炭素皮膜抵抗器５０２，    ６０２、三挿脚の端子５０３，６０３とベース５０，６０からなる可変抵抗センサ  
５，６は、高感度の観測効能を有する。
４．縦向きベース２０、或いは、横向きベース２２の材料は高耐磨性の金属材で、金属材    質表面は、硬質クロムの電気鍍金により、耐磨性が向上し、寿命が延長される。
【００２６】
本考案は、上述のような実施方式に限定されるものではなく、上述と同様の技術効果を達成できるものであれば、例えば、弾性ベースの弾性部材を収める部位は、その下に弾性部材と対応する凹槽を形成してもよく、横向きベースとコントロールスティックの結合部分の形状は、その他の形態でもよい。
【図面の簡単な説明】
【００２７】
【図１】本考案のジョイスティック型ポテンショメーターの実施例を示す全体斜視図である。
【図２】図１の分解斜視図である。
【図３】図１の組み立てた状態の縦断面図である。
【符号の説明】
【００２８】
１…ハウジング
１０，１１，１２，１３…側板
１４…上板
１４０…操作孔
１０１，１１１，１２１，１３１…凹部
１１２，１３２…複数の開孔部
２…シフトコントローラー
２０…縦向きベース
２０１…縦長孔
２０２、２０３…凸柱
２１…コントロールスティック
２１０…ホール
２２…横向きベース
２２０…スロット
２２１…軸孔
２２２，２２３…凸部
２３…ビス
３…スイッチ装置
３０…スイッチベース
３０１…凹円槽
３０２…頂柱
３０３…環形凸台
３１…接触スイッチ端子
３１０，３１１…接触片
３１２…溶接ピン
３２…リング状接蝕片
３３…可動接片
３３０…施圧片
４…復元装置
４０…弾性部材
４１…弾性ベース
４１０…環座
５，６…可変抵抗センサ
５０，６０…ベース
５０１，６０１…槽穴
５０２，６０２…プリント炭素皮膜抵抗器
５０３，６０３…三挿脚の端子
５０４，６０４…弾性フック
５０５，６０５…円孔
５１，６１…縦型動ベース
５１１，６１１…複数の凸柱
５１２，６１２…凹沈孔
５１３，６１３…円柱状の階段型支軸
５２，６２…接触滑動片
５２０，６２０…ホール
【図１】
0003107198.tif 000003
【図２】
0003107198.tif 000004
【図３】
0003107198.tif 000005